(57)【要約】【課題】本発明の目的は保持枠より後方に延びた複数本の支脚によって釣糸をガイドリングに誘導するときの釣糸の傷付きや磨耗を防止し、釣糸を円滑に案内できる釣糸ガイドを提供することにある。【解決手段】本発明は保持枠１２と支脚１３と足部１６とを板状材から一体に形成し、少なくとも前記保持枠１２の後方端のエッジ外周部分を曲面状又は面取り状に形成した釣糸ガイド。【選択図】　　図３
2004024080.tif 000002
【特許請求の範囲】
【請求項１】
ガイドリングを保持した保持枠と、該保持枠から下側後方へ延びる複数の支脚と、該支脚と接続した足部とを有し、前記保持枠と前記支脚と前記足部とを板状材から一体形成し、前記保持枠の後方端のエッジ外周部分を曲面状又は面取り状に形成したことを特徴とする釣糸ガイド。
【請求項２】
前記保持枠の後方端エッジ外周部分を前記保持枠の前方端エッジ外周部分よりも大きい曲面状又は面取り状に形成したことを特徴とする請求項１に記載の釣糸ガイド。
【請求項３】
ガイドリングを保持した保持枠と、該保持枠から下側後方へ延びる複数の支脚と、該支脚と接続した足部とを有し、前記保持枠と前記支脚と前記足部とを板状材から一体形成し、前記保持枠は前記板状材を絞り加工して前記板状材の厚さよりも前後軸心方向の幅が広い筒状のガイドリング保持部を形成し、前記保持枠の後方端のエッジ外周部分を曲面状又は面取り状に形成したことを特徴とする釣糸ガイド。
【請求項４】
前記支脚は前記保持枠の前方端から延び出て後方へ曲がり後方下側に向かって延長する板状部分を前後方向中心軸に対し外方に広がる向きに湾曲したことを特徴とする請求項１、請求項２、又は請求項３に記載の釣糸ガイド。
【請求項５】
ガイドリングを保持した保持枠と、該保持枠から下側後方へ延びる複数の支脚と、該支脚と接続した足部とを有し、前記保持枠と前記支脚と前記足部とを板状材から一体形成し、前記支脚の板状部分をその内側縁部が外側縁部よりも後方に位置するように捻り、その後方板面で後方外向きのガイド面を形成し、該ガイド面の少なくとも一方の縁部における後方エッジ部に前方エッジ部より大きい曲面状又は面取り状に形成したことを特徴とする釣糸ガイド。
【請求項６】
ガイドリングを保持した保持枠と、該保持枠から下側後方へ延びる複数の支脚と、該支脚と接続した足部とを有し、前記保持枠と前記支脚と前記足部とを板状材から一体形成し、前記支脚の板状部分の外側に位置する縁部における後方エッジ部を前方エッジ部より大きい曲面状又は面取り状に形成したことを特徴とする釣糸ガイド。
【請求項７】
前記釣糸ガイドを竿管に取り付けたことを特徴とする請求項１から請求項６のいずれかに記載の釣竿。
【発明の詳細な説明】
【０００１】
【発明の属する技術分野】
本発明は釣竿に取り付けたリールから繰り出した釣糸を案内する釣糸ガイド及びこの釣糸ガイドを備えた釣竿に関する。
【０００２】
【従来の技術】
釣竿を振り、釣の仕掛けを投擲する際にリールから繰り出した釣糸を案内する釣糸ガイドには図１４及び図１５に示す形式の釣糸ガイド１と図１６に示す形式の釣糸ガイド２があった（特開平１１−２２５６２８号公報を参照）。いずれの形式の釣糸ガイド１，２にあっても保持枠３でガイドリング４を保持し、保持枠３から下向き竿元方向に向かって延びる左右一対の支脚５を設け、この支脚５の先端に足部６を形成し、足部６を釣竿に取り付けるようにしている。そして、リールから繰り出して蛇行したり弛んだりしながら進む釣糸を左右の支脚５によりガイドリング４に向けて誘導する。
【０００３】
【発明が解決しようとする課題】
従来の釣糸ガイドは保持枠３と支脚５と足部６は数ミリ程度の薄い厚さの一枚の板状金属材をプレスで打ち抜き、切り出した板部材を各部形状に合わせて曲げ成形する。図１４及び図１５に示す形式の釣糸ガイド１はガイドリング４の保持力を高め、保持枠３の張り出し高さを抑えるため、保持枠３に相当する部分に絞り加工を施し、円筒状の保持枠３を形成する。一方、図１６に示す形式の釣糸ガイド２の保持枠３はプレスで打ち抜いた板材のままである。後者形式の保持枠３にあっては製作は容易であるが、ガイドリング４の保持力が低く、又、保持枠３の高さが増すという欠点があった。
【０００４】
前者形式の釣糸ガイド１にあっては保持枠３の後端から左右一対の支脚５を下側後方に向かって延ばすため、筒状に形成した保持枠３の後端部の加工は難しい。又、薄い厚さの板材端縁の角が比較的鋭いエッジとなって露出していたため、リールから繰り出された釣糸をガイドリング４に導く際に釣糸が保持枠３の後端の比較的鋭いエッジ部分に触れて擦れ、釣糸が傷付き易く、又、繰り返し接触すると、釣糸が摩耗し、糸切れし易いことが判明した。
【０００５】
図１６に示す釣糸ガイド２にあっては保持枠３の部分が金属製板材をプレス加工により打ち抜いたまま用いるため、保持枠３には数ミリ程度の薄い厚さの板状のエッジ部が形成され、この場合にも、釣糸をガイドリングに導く際にその保持枠３後端の比較的鋭いエッジに釣糸が接触し、擦れて釣糸が傷付き易く、又、釣糸が繰り返し接触すると、摩耗し、糸切れし易いという前記同様の欠点があった。
【０００６】
従来の釣糸ガイド１，２の左右の支脚５はいずれも板状金属材から打ち抜くため、板状になる。このため、支脚５には数ミリ程度の薄い厚さのエッジ部が形成されてしまう。従って、この支脚５によって釣糸をガイドリングに導くとき、釣糸がその比較的鋭いエッジ部に接触し、釣糸が擦れて傷付き易く、又、繰り返し接触すると、釣糸が摩耗し、糸切れし易いという欠点があった。
【０００７】
以上の如く、従来の釣糸ガイドにあってはガイドリング周辺の保持枠や支脚が板状材をプレスによって形成するため、通常最も頻繁に釣糸が接触する部分であるにも拘わらず、比較的鋭いエッジ部分が露出して残る形態になっており、このエッジ部分に釣糸が触れ、擦れて釣糸が傷付き易く、繰り返し接触すると、釣糸が摩耗したり、糸切れし易いという難点があった。
【０００８】
本発明は上記課題に着目してなされたもので、その目的とするところは、保持枠より後方に延びた複数本の支脚によって釣糸をガイドリングに誘導する際の釣糸の傷付きや磨耗を極力防止し、且つ釣糸を円滑に案内できる釣糸ガイド、及びその釣糸ガイドを装着した釣竿を提供することにある。
【０００９】
【課題を解決するための手段】
請求項１に係る発明は、ガイドリングを保持した保持枠と、該保持枠から下側後方へ延びる複数の支脚と、該支脚と接続した足部とを有し、前記保持枠と前記支脚と前記足部とを板状材から一体形成し、前記保持枠の後方端のエッジ外周部分を曲面状又は面取り状に形成したことを特徴とする釣糸ガイドである。
【００１０】
請求項２に係る発明は、前記保持枠の後方端エッジ外周部分を前記保持枠の前方端エッジ外周部分よりも大きい曲面状又は面取り状に形成したことを特徴とする請求項１に記載の釣糸ガイドである。
【００１１】
請求項３に係る発明は、ガイドリングを保持した保持枠と、該保持枠から下側後方へ延びる複数の支脚と、該支脚と接続した足部とを有し、前記保持枠と前記支脚と前記足部とを板状材から一体形成し、前記保持枠は前記板状材を絞り加工して前記板状材の厚さよりも前後軸心方向の幅が広い筒状のガイドリング保持部を形成し、前記保持枠の後方端のエッジ外周部分を曲面状又は面取り状に形成したことを特徴とする釣糸ガイドである。
【００１２】
請求項４に係る発明は、前記支脚は前記保持枠の前方端から延び出て後方へ曲がり後方下側に向かって延長する板状部分を前後方向中心軸に対し外方に広がる向きに湾曲したことを特徴とする請求項１、請求項２、又は請求項３に記載の釣糸ガイドである。
【００１３】
請求項５に係る発明は、ガイドリングを保持した保持枠と、該保持枠から下側後方へ延びる複数の支脚と、該支脚と接続した足部とを有し、前記保持枠と前記支脚と前記足部とを板状材から一体形成し、前記支脚の板状部分を内側縁部が外側縁部よりも後方に位置するように捻り、その後方板面で後方外向きのガイド面を形成し、該ガイド面の少なくとも一方の縁部における後方エッジ部に前方エッジ部より大きい曲面状又は面取り状に形成したことを特徴とする釣糸ガイドである。
【００１４】
請求項６に係る発明は、ガイドリングを保持した保持枠と、該保持枠から下側後方へ延びる複数の支脚と、該支脚と接続した足部とを有し、前記保持枠と前記支脚と前記足部とを板状材から一体形成し、前記支脚の板状部分の外側に位置する縁部における後方エッジ部を前方エッジ部より大きい曲面状又は面取り状に形成したことを特徴とする釣糸ガイドである。
【００１５】
請求項７に係る発明は、前記釣糸ガイドを竿管に取り付けたことを特徴とする請求項１から請求項６のいずれかに記載の釣竿である。
【００１６】
【発明の実施の形態】
本発明の実施形態について添付図面を参照して説明する。図１で示すように本実施形態の釣糸ガイド１０は釣糸を挿通ガイドするガイドリング１１と、このガイドリング１１を保持した保持枠（保持フレーム）１２と、２本の後側支脚１３と、１本の前側支脚１４を備える。２本の後側支脚１３は図２に示した釣竿１５に取り付ける後足部１６に合流して一体化する。前側支脚１４はその先端部に前記釣竿１５に取り付ける前足部１７を形成する。
【００１７】
保持枠１２と後側支脚１３と前側支脚１４と後足部１６と前足部１７は一枚の板材を打ち抜き、切り出した部材の所定部位を適宜曲げ加工するなどにより一体に連続した枠体として構成する。この素材としての板材には例えばステンレス鋼、チタン合金や繊維強化金属等の金属又はその他の材料のものを用いるとよい。
【００１８】
前記ガイドリング１１は前記保持枠１２の材料よりも耐磨耗性に富む材料で作られている。この材料としては通常シリコンカーバイト（ＳｉＣ）を用いる。しかし、アルミナオキサイド、セラミックス、タングステンカーバイト又は金属等でもよい。又、ガイドリング１１の部材表面をダイヤモンドコーティング等で被覆してもよい。
【００１９】
次に、釣糸ガイド１０の各部について説明する。まず、前記保持枠１２は板材を打ち抜いて切り出した対応部分を図３に示すように絞り筒状のガイドリング保持部を形成する。保持枠１２の幅（筒部長さ）ｗはガイドリング１１の幅よりも狭い。保持枠１２の幅ｗはガイドリング１１を保持する力を高めるため、そのガイドリング１１の幅の７０％以上が好ましい。通常２．０ｍｍ〜３．０ｍｍの範囲内が適当である。保持枠１２の後端から中にガイドリング１１の後端が入り込まないように設定し、一般的にはガイドリング１１の後端が保持枠１２の後端から僅かにはみ出す程度が好ましい（図９参照）。
【００２０】
又、前記保持枠１２の幅ｗは素材の板厚よりも長い。このため、ガイドリング１１を固定する保持力が保持枠１２を筒状に絞り加工しない場合に比べて高まる。板材（素材）の板厚はガイドリング１１のサイズや後側支脚１３等の他部分の形態も考慮して決めるべきであって通常は０．５ｍｍ〜１．５ｍｍの範囲で選択する。特に０．７ｍｍ〜１．３ｍｍの範囲が好ましい。
【００２１】
そして、図８及び図９に示すように、前記ガイドリング１１は保持枠１２にその外周面部を圧入して固定し、さらには接着剤１９により保持枠１２に固定する。保持枠１２はプレスで打ち抜いて切り出した板材部分を絞り加工により筒状に形成するのでガイドリング１１の嵌込代や接着代を確保できると同時に保持枠１２の外径が大きく嵩張らない。
【００２２】
図９に示すように、前記保持枠１２の後端外周エッジ部分には全周にわたり曲面状の丸み部２１を形成する。但し、この丸み部２１は保持枠１２の上側部、例えば上部半円周部にのみ形成してもよい。この丸み部２１を形成することにより前記保持枠１２の後方外周部分は曲面状になり、鋭い角のないエッジ外周部とすることができる。
【００２３】
図９に示すように、保持枠１２後端の丸み部２１の内周端はガイドリング１１の丸みのある外周面に達している。そして、ガイドリング１１の丸みのある後端部分１１ａは保持枠１２の丸み部２１の内周端、つまり保持枠１２の後端から後方へ突き出している。もっとも、保持枠１２の後端をガイドリング１１の後端に一致させ、或いは保持枠１２内にガイドリング１１の後端を入り込ませてもよい。保持枠１２内にガイドリング１１の後端を入り込ませた場合には保持枠１２の後端内側にも丸み部を形成することが好ましい。一般的には前記保持枠１２の後端の丸み部２１をガイドリング１１後端の丸み部に連続させるようにする。
【００２４】
又、図１０に示すように、保持枠１２の後端外周に丸み部２１を施す際、その丸み部２１の内端付近部分を曲げ加工し、その曲げた部分２２をガイドリング１１の丸みのある外周面に密に当てるように変形させてもよい。
【００２５】
尚、前記保持枠１２の前方端にも丸み部を付けてもよいが、釣糸は触れないので、保持枠１２の前方端には丸める等の絞り加工を施さず、そのままの形態であってもよい。
【００２６】
図１に示すように、各後側支脚１３の部分も板状の素材を帯状に打ち抜いて形成する。そして、各後側支脚１３の部分は前記絞り加工を施した保持枠１２の前端縁から前方に向かって突き出した直後に側方へ折り曲げて後方へ向きを変え、後方下側に位置した前足部１７に向かって延長する。
【００２７】
図４に示すように、保持枠１２から後側支脚１３が延び出る位置は保持枠１２の中心Ｏを通る水平線Ｌの位置よりも低く、その水平線Ｌから後側支脚１３が突き出す位置までの中心角θ１は４５°の範囲内にあることが好ましい。
【００２８】
又、図２に示すように、後側支脚１３は保持枠１２の前端縁から前方に突き出した直後の位置に第１折曲げ部２４を形成して延出する向きを前方から後方へ変える。さらに図４〜図８に示すように後側支脚１３は釣糸ガイド１０の前後方向中心軸に対し左右外方へ広がる向きに丸く曲円状に湾曲しながら傾斜して後方へ延長する。そして、図８に示すように、後側支脚１３の中間領域部分２５は外方へ広がって丸く膨む状態で後方下方へ傾斜しながら延び、第２折曲げ部２６を経て後足部１６に合流して一体になる。
【００２９】
図２に示すように、後側支脚１３の下側後方への傾斜角度θ２は、３０°〜７０°の範囲にする。好しくは３５°〜５５°である。後側支脚１３を保持枠１２の略真下方向へ延ばすと釣糸を案内できない。又、傾斜角度θ２を７０°より大きくすると、後側支脚１３が長くなり過ぎて釣糸ガイド１０の重量が増し、好ましくない。
【００３０】
後足部１６には割り溝又は割れ目２７を形成してある。このため、後足部１６は釣竿１５の外周面にその外径の大小に拘わらず密着適合し易くなっている。又、割れ目２７を広げて隙間を形成するようにしてもよく、この場合には釣竿１５に対する取付け安定性が増す。
【００３１】
図８に示すように、後側支脚１３が外方へ広がって最も膨らんだ場所での左右幅（内径）は保持枠１２の外径よりも大きい。通常は後側支脚１３が保持枠１２の外周位置より離間する距離ｄを１ｍｍ以上とし、後側支脚１３が保持枠１２の外周位置よりも外側に位置するように左右幅（内径）を設定する。２本の後側支脚１３はその枠内に空間２８を形成する。
【００３２】
このように後側支脚１３が保持枠１２の外周位置よりも外側まで丸く膨らんで位置するため、その丸い膨らみによりガイドリング１１から離れた位置・方向に後側支脚１３を配置することになるので、リールから送られた釣糸を大きく捉え、糸の当りを軽減し、かつ後側支脚１３からガイドリング１１へ釣糸を誘導し易くなる。従って、後側支脚１３に対する糸当りを緩和し、釣糸が後側支脚１３への絡み付きを防止できる。
【００３３】
又、図１１に示すように、各支脚１３はその内端部分それぞれが外端部分よりも前方（竿先側）に退いて位置するように捻ってある。そして支脚１３の板状部分の外側に位置する縁部における後方エッジ部に前方エッジ部より大きい曲面部３１又は面取り部を形成する。支脚１３の板状部分の外側に位置する縁部における前方エッジ部又は支脚１３の板状部分の内側に位置する縁部のエッジ部に曲面部又は面取り部を形成してもよい。
【００３４】
このような曲面状又は面取り状に形成する部位は特に釣糸が当る後側支脚１３のエッジ部分に施すとよい。このようにエッジ部分を曲面状又は面取り状に形成すれば、この部分に釣糸が接触しても、釣糸を円滑に案内できると共に、釣糸の傷付きや摩耗を防止出来る。
【００３５】
図１３は前記保持枠１２の後端外周エッジ部、又は支脚１３の側縁エッジ部に形成する曲面状又は面取り状部分の断面形状の例を示す。図１３（ａ）は保持枠１２又は支脚１３のエッジ部分を曲面状に形成した曲面部３１の例である。又、図１３（ｂ）は面取り状に形成した面取り部３２の例である。
【００３６】
図１３（ａ）に示す曲面部３１の例ではその曲面部３１の半径Ｒを板素材の板厚をｔとするとき、（１／２）ｔ以上とすることが好ましい。又、半径Ｒは（１／２）ｔ〜ｔの範囲が好ましいが、それ以上に大きくてもよいし、それ以下であってもよい。図１３（ｂ）に示す面取り部３２の例ではその面取り部３２の面幅寸法Ｃを０．５ｍｍ以上とするとよい。より好ましくは０．７ｍｍ〜１．２ｍｍ程度がよい。板素材の板厚ｔとの関係では、板厚ｔの４０％〜８０％の範囲で曲面状又は面取り状に形成するとよい。勿論、面取り部３２の面幅寸法Ｃはその寸法に限らない。
【００３７】
又、図１３（ｂ）に示すように面取り部３２の縁に小さな曲面状又は面取り状の角落とし部３３を連続して形成するようにしてもよい。
このような形状に加工する方法としては例えばバレル加工がある。
【００３８】
以上のように本発明は、釣糸が当る部材のエッジ部を、丸み部２１や面取り部３２の他、多角形の組み合わせや波形状の組み合わせ等により全体として実質的に曲面状に形成するものであってもよい。要は基本的に曲面状になって釣糸を円滑に案内でき、糸の傷付きを防止できる形状であればよい。
【００３９】
図１２に示す釣糸ガイドの例では、保持枠１２の板部材に絞り加工を施さない板状のまま用い、また、左右の各支脚１３は後方（竿元側）から見ていずれもその内端縁部分が後方へ盛り上げるように張り出し、支脚１３の後側板面で後方外向きの釣糸ガイド面を形成するようにした形式である。
【００４０】
この形式の保持枠１２にもその後端外周エッジ部分にその全周にわたり曲面状の丸み部２１等を形成する。また、支脚１３の釣糸が当る後方外周エッジ部分を曲面状又は面取り状に形成する。前記ガイド面の少なくとも一方の縁部、特に外側の後方エッジ部を前方エッジ部より大きい曲面状又は面取り状のものとする。
【００４１】
図１２に示す釣糸ガイドでも図１３（ａ）（ｂ）に基づいて提示した曲面部３１の半径Ｒ又は面取り部３２の面幅寸法Ｃを引用できる。特に、絞り加工を施さない保持枠１２の軸方向長さ（幅）ｗは０．５ｍｍ〜１．５ｍｍ又は０．５ｍｍ〜１．４ｍｍの範囲であり、好ましくは０．７〜１．３ｍｍの範囲とする。又、保持枠１２の厚さｔを０．５ｍｍ〜１．５ｍｍ又は０．５ｍｍ〜１．４ｍｍの範囲で、好ましくは０．７〜１．３ｍｍの範囲とする。以上の設定により絞り加工を施さない保持枠１２の強度を確保しつつ保持枠１２のコンパクト化と軽量化ができる。又、釣糸の傷付きを防止し、円滑に糸案内できる。又、図１２の左右支脚１３のガイド面は前記左右支脚間中央寄りの内端側に位置する面部分が後方に位置し、外端側に位置する面部分が前方に位置するように傾斜する捻りを加えてある。
【００４２】
尚、ここでは図１に示すように、後側支脚１３を外側方へ広げて膨らむ湾曲形状としたが、左右一対の後側支脚１３を直線的に略逆ハの字状又は略Ｖ字状に配置するようにしたものでもよい。又、足部が２つの両足タイプの釣糸ガイドの例だけではなく、図１１に示すように保持枠１２から前方に延びる前支脚を省略した片足タイプのものであってもよい。
【００４３】
又、支脚の数を３本に限らず、４本以上にしてもよい。さらに、左右に分離した２本の後側支脚間の孔空間に上下に延びる第３の支脚を配設したり、左右の後側支脚を左右又は斜めに延びるアーム等で連結したり、２本の後側支脚間の孔空間内において保持枠と支脚を連結するアームを配設したりするようにしてもよい。ガイドリングは保持枠に対し直接に固定することが軽量化する上では好ましいが、ガイドリングの固定力を高めるため、合成樹脂部材等を介在させて固定してもよいし、接着剤を組み合わせて固定するようにしてもよい。ガイドリングの形状は円形のものに限らず、半円形等であってもよい。前述した実施形態のものを任意に組み合わせ、又は省略したものでもよい。
【００４４】
又、左右の後側支脚１３を前後方向中心軸に対し外方に広がる向きに湾曲してあったが、左右の各後側支脚１３の捻りを逆にして後方（竿元側）から見ていずれもその外端部分を前方に退いて位置させ、内端部分を後方に張り出させて各後側支脚１３の後側板面を斜め外方に向けるように傾斜させ、その後側板面を釣糸のガイド面とするようにしてもよい。この場合には内端部外端部ともそのエッジ部分を曲面状又は面取り状に形成するとよい。
【００４５】
【発明の効果】
以上説明したように本発明によれば、釣糸の当る保持枠の後方側の少なくとも上側エッジ部分や支脚の縁部を曲面状又は面取り状に形成したので、従来のように、部材のエッジ角部が鋭い形状になることがないので、釣糸はその曲面状や面取り状の部分に接触するので、円滑に糸案内できると共に、釣糸の傷付きや摩耗を防止できる。又、釣糸が大きく蛇行したり弛んだりしても複数の支脚で糸絡みを防止し、円滑に糸案内できる。
【００４６】
請求項２に係る発明によれば、保持枠の前方外周エッジは特別形を変えないので保持枠全体としての強度低下を最小限に押えて保持枠の強度を維持できる。又、保持枠の後方側の上側エッジ部分は曲面状又は面取り状に形成したので、リールから繰り出した釣糸を円滑に案内できると共に、釣糸の傷付きや摩耗を防止出来る。
【００４７】
請求項３に係る発明によれば、保持枠は前後軸心方向に絞り加工して板材の厚さより幅の広いガイドリング保持部分を形成し、支脚が延びる後方側の外側エッジ部分を前方側エッジ部分よりも大きい曲面状又は面取り状に形成したので、保持枠の外径を板の厚さ程度の外径に小さく規制でき、しかもこの外側エッジ部分が曲面状又は面取り状にしたので、釣糸の接触をより少なく、円滑に案内できると共に、釣糸の傷付きや摩耗を防止出来る。又、釣糸が大きく蛇行したり弛んだりしても複数の支脚で糸絡みを防止し、円滑に糸案内できる。
【００４８】
請求項４に係る発明によれば、前記保持枠の前方端から延び出して後方へ曲がり後方下側に向かって延長する板状部分を前後方向中心軸に対し外方に広がる向きに湾曲したので、支脚に釣糸が接触することを低減でき、より一層釣糸を円滑に案内できる。
【００４９】
請求項５及び請求項６に係る発明によれば、支脚の後方側エッジ部分を曲面状又は面取り状に形成したので、この部分に釣糸が接触しても、釣糸を円滑に案内できる。又、釣糸が大きく蛇行したり弛んだりしても複数の支脚で糸絡みを防止し、円滑に糸案内できる。
【００５０】
請求項７に係る発明によれば、釣糸の傷付きや摩耗を防止出来る前記釣糸ガイドの特長を生かした釣竿を提供出来る。
【図面の簡単な説明】
【図１】本発明の実施形態に係る釣糸ガイドの斜視図。
【図２】本発明の実施形態に係る釣糸ガイドの左側面図。
【図３】本発明の実施形態に係る釣糸ガイドの縦断面図。
【図４】本発明の実施形態に係る釣糸ガイドを後方側から見た図。
【図５】本発明の実施形態に係る釣糸ガイドを前方側から見た図。
【図６】本発明の実施形態に係る釣糸ガイドの平面図。
【図７】本発明の実施形態に係る釣糸ガイドの下面図。
【図８】本発明の実施形態に係る釣糸ガイドの縦断面図。
【図９】本発明の実施形態に係る釣糸ガイドにおけるガイドリングと保持枠の結合部を拡大して示す断面図。
【図１０】本発明の実施形態に係る他の釣糸ガイドにおけるガイドリングと保持枠の結合部を拡大して示す断面図。
【図１１】本発明の実施形態に係る釣糸ガイドの前側支脚の横断面図。
【図１２】本発明の実施形態に係る他の釣糸ガイドの縦断面図。
【図１３】本発明の実施形態に係る釣糸ガイドの保持枠又は後側支脚の後方端部外周の形状を示す断面図。
【図１４】従来の釣糸ガイドの平面図。
【図１５】従来の釣糸ガイドの左側面図。
【図１６】従来の釣糸ガイドの縦断面図。
【符号の説明】
１０…釣糸ガイド
１１…ガイドリング
１１ａ…後端部分
１２…保持枠
１３…後側支脚
１４…前側支脚１４
１５…釣竿
１６…足部
１９…接着剤
２１…丸み部
２５…中間部分
３１…曲面部
３２…面取り部
【図１】
2004024080.tif 000003
【図２】
2004024080.tif 000004
【図３】
2004024080.tif 000005
【図４】
2004024080.tif 000006
【図５】
2004024080.tif 000007
【図６】
2004024080.tif 000008
【図７】
2004024080.tif 000009
【図８】
2004024080.tif 000010
【図９】
2004024080.tif 000011
【図１０】
2004024080.tif 000012
【図１１】
2004024080.tif 000013
【図１２】
2004024080.tif 000014
【図１３】
2004024080.tif 000015
【図１４】
2004024080.tif 000016
【図１５】
2004024080.tif 000017
【図１６】
2004024080.tif 000018